(57)【特許請求の範囲】
【請求項１】
表側布及び肌側布によって構成されるカップ部と、
前記カップ部の下縁側を支持する土台部と、
前記土台部の脇側から延びるバック部と、
前記表側布と前記バック部とを連結するストラップ部と、を備え、
前記肌側布は、保形性及び弾力性を有する素材によって形成され、
前記土台部は、前記カップ部の下縁形状に対応して湾曲する上辺部を有し、
前記上辺部における前中心側の縁部及び脇側の縁部の少なくとも一方には、前記肌側布の下縁部よりも張り出す張出部分が設けられ、
前記表側布の下縁部及び前記肌側布の下縁部が前記上辺部に縫着される一方で、前記肌側布の上縁部が前記表側布に対して非縫着となっているカップ部付き衣類。
【請求項２】
前記張出部分は、前記上辺部における前記前中心側の縁部及び前記脇側の縁部の双方に設けられている請求項１記載のカップ部付き衣類。
【請求項３】
前記肌側布の上縁部の脇側部分と前記表側布の脇縁部とが、連結部材によって連結されている請求項１又は２記載のカップ部付き衣類。
【請求項４】
前記肌側布の上縁部よりも前記表側布の上縁部が張り出している請求項１〜３のいずれか一項のカップ部付き衣類。
【発明の詳細な説明】
【技術分野】
【０００１】
本発明は、カップ部付き衣類に関する。
【背景技術】
【０００２】
ブラジャーに代表されるカップ部付き衣類は、例えばバストを覆うためのカップ部、カップ部の下縁部を支持する土台部、土台部から背面側に延びるバック部、及びカップ部に連結されるストラップ部などを備えて構成されている。このようなカップ部付き衣類の主たる機能の一つとしては、バストの造形性が挙げられる。例えば特許文献１に記載のブラジャーでは、カップ本体と、カップ本体の表面を覆うカバーとによってカップ部を構成し、厚手の生地片同士を縦方向の縫い目によって縫い合わせてカップ形状を形成すると共に、カバーの下側縁をカップ本体の下縁に縫着している。
【０００３】
一方で、カップ部付き衣類の着け心地に対するニーズも非常に高いものとなっている。出願人が１６歳〜６４歳までの消費者５００人に対して使用頻度の高いブラジャーについて調査を行ったところ、着け心地の良さを重視すると回答した消費者の割合が６割近くに達するという結果が得られている。体へのフィット感や快適性など、着け心地の良さと関連した項目を重視すると回答した消費者も多く、バストの造形性のみならず、着け心地が重視されている傾向が読み取れる。
【先行技術文献】
【特許文献】
【０００４】
【特許文献１】特開２００２−２２０７０５号公報
【発明の概要】
【発明が解決しようとする課題】
【０００５】
図７は、カップ部付き衣類の既存商品の着用感の強さと造形性の関係を示す図である。同図では、横軸を着用感の強さ、縦軸を造形性（カップ圧）とし、既存商品Ａ〜Ｉにおける着用感の強さと造形性の関係をプロットしたものである。この図７に示すように、既存商品Ａ〜Ｉでは、着用感の強さと造形性とは概ね比例関係にある。すなわち、造形性の高いカップ部付き衣類は着用感が強く、造形性の低いカップ部付き衣類は着用感が弱い、という傾向がある。バストの造形性と着け心地とを両立させるには、図７におけるＸ領域に属するカップ部付き衣類を開発していく必要がある。
【０００６】
バストの造形性と着け心地とを両立させるため、出願人は、鋭意研究を行う過程で、カップ部付き衣類の既存商品の着圧分析を実施した。この着圧分析では、図８（ａ）に示すように、ダミー人形のバスト部分において、バージスライン中心部分（点Ａ）、バスト下部（点Ｂ〜点Ｄ）、バスト中央部の両脇（点Ｅ，点Ｆ）、バスト上部（点Ｇ，点Ｈ）の計８点につき、着圧の測定を行った。
【０００７】
図８（ｂ）は、着圧分析の結果を示す図である。同図に示すように、バスト上部（点Ｇ，点Ｈ）の着圧の平均が約０．３５ｋＰａであったのに対し、バスト下部（点Ｂ〜点Ｄ）の着圧の平均は約１．３ｋＰａとなっている。この結果から、カップ部付き衣類の下カップ部からバスト下部にかかる着圧は、上カップ部からバスト上部にかかる着圧の４倍近くに達していることが分かる。そこで、出願人は、下カップ部からバスト下部にかかる着圧を抑え、バストにかかる着圧の総量を効果的に低減することができれば、バストの造形性と着け心地とを両立できるという知見を得て、本発明を完成するに至った。
【０００８】
本発明は、上記課題の解決のためになされたものであり、バストの造形性と着け心地とを両立できるカップ部付き衣類を提供することを目的とする。
【課題を解決するための手段】
【０００９】
上記課題の解決のため、本発明の一側面に係るカップ部付き衣類は、表側布及び肌側布によって構成されるカップ部と、カップ部の下縁側を支持する土台部と、土台部の脇側から延びるバック部と、表側布とバック部とを連結するストラップ部と、を備え、土台部は、カップ部の下縁形状に対応して湾曲する上辺部を有し、上辺部における前中心側の縁部及び脇側の縁部の少なくとも一方には、肌側布の下縁部よりも張り出す張出部分が設けられ、表側布の下縁部及び肌側布の下縁部が上辺部に縫着される一方で、肌側布の上縁部が表側布に対して非縫着となっている。
【００１０】
このカップ部付き衣類では、着用状態において、ストラップ部からかかる引っ張り力が表側布の下縁部側から肌側布に伝わり、肌側布にはストラップ部からの引っ張り力が直接かからないため、肌側布が着用者のバストを過不足のない力で持ち上げることによってバストの造形がなされる。このとき、カップ部付き衣類では、張出部分の形成により、バストの造形に必要な肌側布の全体の面積を確保しつつ、カップ部の下縁側における肌側布の面積が抑えられている。これにより、着用者のバスト下部にかかる着圧が抑えられ、着用者のバストにかかる着圧の総量が効果的に低減されるので、着け心地が良好なものとなる。また、カップ部付き衣類では、肌側布の上縁部が表側布に対して非縫着となっており、着用時においてストラップ部からの引っ張り力が表側布に作用した場合に、表側布によって肌側布の全体が柔らかく包まれる。これにより、肌側布が着用者のバストに喰い込むことを抑制しつつ、肌側布によるバストの造形性が維持される。また、着用者がバストを見たときに視認可能なバストの面積が大きくなるため、視覚的な造形効果も奏される。
【００１１】
また、張出部分は、上辺部における前中心側の縁部及び脇側の縁部の双方に設けられていてもよい。この場合、下カップ部から着用者のバスト下部にかかる着圧をより確実に抑えられるので、着け心地が一層良好なものとなる。
【００１２】
また、肌側布の上縁部の脇側部分と表側布の脇縁部とが、連結部材によって連結されていてもよい。この場合、下カップ部から着用者のバスト下部にかかる着圧を抑えつつ、バストの安定性を確保できる。また、連結部材自体に大きな張力が作用しないように連結部材を用いることで、表側布に対する肌側布の非縫着状態が阻害されることもない。
【００１３】
また、肌側布の上縁部よりも表側布の上縁部が張り出していてもよい。この場合、ストラップ部からの引っ張り力が作用したときに、表側布によって肌側布の全体が一層柔らかに包まれる。これにより、肌側布がバストに喰い込むことを抑制しつつ、肌側布によるバストの造形性がより効果的に維持される。
【発明の効果】
【００１４】
本発明に係るカップ部付き衣類によれば、造形性と着け心地とを両立できる。
【図面の簡単な説明】
【００１５】
【図１】本発明に係るカップ部付き衣類の一実施形態を示す正面図である。
【図２】図１に示したカップ部付き衣類の要部を拡大して示す正面図である。
【図３】図１に示したカップ部付き衣類の要部を拡大して示す背面図である。
【図４】図１に示したカップ部付き衣類のバストの造形性を示す図であり、（ａ）は比較例、（ｂ）は実施例である。
【図５】図１に示したカップ部付き衣類によって造形されたバストの状態を示す図である。
【図６】本発明に係るカップ部付き衣類の変形例の要部を拡大して示す背面図である。
【図７】カップ部付き衣類の既存商品における着用感の強さと造形性との関係を示す図である。
【図８】カップ部付き衣類の既存商品における着圧分析を示す図であり、（ａ）は着圧の測定位置、（ｂ）は分析結果である。
【発明を実施するための形態】
【００１６】
以下、図面を参照しながら、本発明に係るカップ部付き衣類の好適な実施形態について詳細に説明する。
【００１７】
図１は、本発明に係るカップ部付き衣類の一実施形態を示す正面図である。同図に示すように、カップ部付き衣類１は、例えば女性用のブラジャーとして構成されている。このカップ部付き衣類１は、左右一対のカップ部２と、カップ部２の下縁側を支持する土台部３と、土台部３の両脇からそれぞれ延びて背面側に至るバック部４と、カップ部２とバック部４とをつなぐストラップ部５とによって構成されている。
【００１８】
カップ部２は、人体のバストの形状に対応させた椀形状となっている。左右のカップ部２は、土台部３を介して前中心Ａ側で互いに結合されている。カップ部２の表側には、例えば合成繊維や天然繊維の織物・編物といった素材からなる表側布１１が配置されている。表側布１１の素材としては、例えばレース生地や一定の厚さのダブルラッセルなどが挙げられる。カップ部２の肌側には、不織布や発泡ポリウレタンといった一定の保形性及び弾力性を有する素材によって形成された肌側布１２が配置されている。
【００１９】
カップ部２の上縁部２ａは、例えばバストの上部に沿うように略中央部分で上向きに凸となるように湾曲している。また、カップ部２の脇縁部２ｂは、腕の動きを阻害することが無いように中心側に向かって緩やかな凹状に湾曲しており、カップ部２の下縁部２ｃは、バストのバージスラインに合うように下向きに凸となるように湾曲している。
【００２０】
また、カップ部２の下縁部２ｃには、ワイヤー部６が設けられている。ワイヤー部６は、例えば芯材となるワイヤー部材と、ワイヤー部材を封入するワイヤーループとによって構成されている。ワイヤー部材には、金属やプラスチック等が用いられ、ワイヤーループには、織物や編物などの柔らかい素材が用いられる。
【００２１】
土台部３は、例えばベア天竺等の伸縮性（特に左右方向の伸縮性）を有する織物や編物等の素材で形成された表布にマーキゼット等の非（難）伸縮性の素材を裏打することにより、全体として非（難）伸縮性を有している。土台部３の上辺部３ａは、カップ部２の下縁部２ｃに沿うように凹状に湾曲しており、カップ部２の下縁部２ｃに縫着されている。土台部３の下辺部３ｂには、伸縮性及び復元性を高める目的で、長手方向に特に伸縮性の高い素材からなる始末部を設けてもよい。始末部に用いる素材としては、例えばストレッチテープなどが挙げられる。
【００２２】
バック部４は、例えばパワーネットなどの伸縮性を有する素材によって形成されている。バック部４の基端側は、土台部３の脇部から連続し、背面側に向かって帯状に延びている。バック部４における背側の端部には、ホック７が設けられている。このホック７により、左右のバック部４が互いに係脱自在となっている。
【００２３】
ストラップ部５は、例えば織物のような布地を紐状に成形、縫製して形成されている。ストラップ部５に用いられる織物等の素材は、長手方向に伸縮性を有していることが好適である。ストラップ部５は、カップ部２とバック部４との間に掛け渡され、いわゆる肩紐を構成している。ストラップ部５の一端は、カップ部２の脇側上縁に連結され、ストラップ部５の他端は、バック部４の上縁部に連結されている。
【００２４】
続いて、カップ部２の構成について更に詳細に説明する。
【００２５】
図２は、カップ部付き衣類の要部を拡大して示す正面図である。また、図３は、その背面図である。図２及び図３に示すように、カップ部２は、上述したように、表側布１１と、肌側布１２とによって構成されている。表側布１１は、図２に示すように、カップ部２自体の形状と同形状をなしている。すなわち、表側布１１の上縁部１１ａは、上向きに凸となるように湾曲しており、表側布１１の脇縁部１１ｂは、カップ部２の中心側に向かって緩やかな凹状に湾曲している。また、表側布１１の下縁部１１ｃは、土台部３の上辺部３ａと同等の長さを有し、上辺部３ａにおける前中心Ａ側の縁部１３ａから脇側の縁部１３ｂにかけて下向きに凸となるように湾曲している。
【００２６】
肌側布１２は、図３に示すように、表側布１１に対して一回り小さく形成されている。肌側布１２の上縁部１２ａは、着用状態においてバストトップを覆うことができる程度に表側布１１の上縁部１１ａよりも下方に位置すると共に、上向きに凸となるように湾曲している。また、肌側布１２の下縁部１２ｂは、表側布１１の下縁部１１ｃに対応する形状で下向きに凸となるように湾曲する一方で、土台部３の上辺部３ａ及び表側布１１の下縁部１１ｃよりも短い長さとなっている。下縁部１２ｂにおける前中心Ａ側の縁部１４ａは、上辺部３ａにおける前中心Ａ側の縁部１３ａよりも中央側に位置し、下縁部１２ｂにおける脇側の縁部１４ｂは、上辺部３ａにおける脇側の縁部１３ｂよりも中央側に位置している。
【００２７】
このような表側布１１及び肌側布１２は、下縁部１１ｃと下縁部１２ｂとを揃えた状態で土台部３の上辺部３ａに縫着されている。これにより、上辺部３ａにおける前中心Ａ側の縁部１３ａは、肌側布１２の前中心Ａ側の縁部１４ａよりも前中心Ａ側に張り出す張出部分１６ａとなっており、上辺部３ａにおける脇側の縁部１３ｂは、肌側布１２の脇側の縁部１４ｂよりも脇側に張り出す張出部分１６ｂとなっている。張出部分１６ａ，１６ｂの張り出し長さは、肌側布１２によるバストの造形性を損なわない範囲で任意に設定可能である。
【００２８】
上辺部３ａにおいて張出部分１６ａ及び張出部分１６ｂが設けられている結果、カップ部２の上縁部２ａにおいて、肌側布１２の上縁部１２ａよりも表側布１１の上縁部１１ａが上方に張り出した状態となっている。また、カップ部２の脇側においても、肌側布１２の上縁部１２ａよりも表側布１１の脇縁部１１ｂが上方に張り出した状態となっている。
【００２９】
一方、肌側布１２の上縁部１２ａは、表側布１１に対して非縫着となっており、表側布１１と肌側布１２とは、下縁部１１ｃと下縁部１２ｂとの縫着部分を除いて互いにフリーな状態となっている。つまり、表側布１１の脇縁部１１ｂは、肌側布１２の上縁部１２ａよりも脇側に張り出し、かつ肌側布１２に対してフリーな状態となっており、ストラップ部５は、カップ部２の脇側上縁において表側布１１の脇縁部１１ｂの上端部分に連結されている。
【００３０】
なお、本実施形態では、図３に示すように、肌側布１２の上縁部１２ａの脇側部分と表側布１１の脇縁部１１ｂとは、連結部材１７によって連結されている。連結部材１７は、例えばパワーネットなどの非伸縮性又は難伸縮性を有する素材によって形成されている。連結部材１７は、肌側布１２の上縁部１２ａから脇側に張り出している表側布１１の張出部分の下側の形状に対応する形状をなしている。連結部材１７は、当該張出部分において表側布１１の肌側に配置され、肌側布１２の上縁部１２ａの脇側部分の下端側と表側布１１の脇縁部１１ｂの下端側とに縫着されている。
【００３１】
以上のような構成を有するカップ部付き衣類１では、着用状態において、ストラップ部５からかかる引っ張り力が表側布１１の上縁部１１ａ及び脇縁部１１ｂに作用する。この引っ張り力は、表側布１１の下縁部１１ｃ側から肌側布１２に伝わり、肌側布１２にはストラップ部５からの引っ張り力が直接かからないため、肌側布１２が着用者のバストを脇側下方から前中心側上方に向かって過不足のない力で持ち上げることによってバストの造形がなされる。
【００３２】
このとき、カップ部付き衣類１では、土台部３の上辺部３ａに張出部分１６ａ，１６ｂを形成することにより、バストの造形に必要な肌側布１２の全体の面積を確保しつつ、カップ部２の下縁側（下カップ部）における肌側布１２の面積が抑えられている。これにより、下カップ部から着用者のバスト下部にかかる着圧が抑えられ、着用者のバストにかかる着圧の総量が効果的に低減されるので、着け心地が良好なものとなる。
【００３３】
また、カップ部付き衣類１では、肌側布１２の上縁部１２ａが表側布１１に対して非縫着となっており、着用時においてストラップ部５からの引っ張り力が表側布１１に作用した場合に、表側布１１によって肌側布１２の全体が柔らかく包まれる。これにより、肌側布１２が着用者のバストに喰い込むことを抑制しつつ、肌側布１２によるバストの造形性が維持される。
【００３４】
図４は、カップ部付き衣類１によるバストの造形性を示す図である。同図は、比較例に係るサンプル及び実施例に係るサンプルについて、それぞれ着用者のバストの形状を等高線で示したものである。図４（ａ）は、比較例の場合のバストの形状を示している。比較例に係るカップ部付き衣類のサンプルでは、土台部の上辺部に張出部分は設けられておらず、表側布と肌側布とが全縁にわたって互いに縫着されている。この比較例では、バストトップ付近を中心とする環状の等高線が例えば左側のバストの上部（図４（ａ）中の破線領域Ｒ）で歪んでおり、バストの上部へのカップ部の上縁部の喰い込みが生じていることが分かる。
【００３５】
図４（ｂ）は、実施例の場合のバストの形状を示している。比較例に係るカップ部付き衣類のサンプルでは、図１に示したカップ部付き衣類と同様に、土台部の上辺部に張出部分を設けると共に、肌側布の上縁部が表側布に対して非縫着となっている。この実施例では、バストトップ付近を中心とする環状の等高線の真円度が比較例に比べて高くなっており、左側のバストの上部（図４（ｂ）中の破線領域Ｒ）における等高線の歪みも殆どない。したがって、バストの上部へのカップ部の上縁部の喰い込みは生じておらず、バストの造形性が良好に維持されていることが確認できる。
【００３６】
また、カップ部付き衣類１では、肌側布１２の面積が抑えられていることで、着用者がバストを見たときに視認可能なバストの面積が大きくなるため、視覚的な造形効果も奏される。カップ部付き衣類１では、上辺部３ａにおける前中心Ａ側の縁部１３ａに張出部分１６ａが設けられ、肌側布１２の面積が前中心Ａ側で抑えられているため、図５に示すように、特にバスト上部の前中心側（図５中の破線領域Ｖ）で視認可能なバストの面積が大きくなっており、視覚的な造形効果が高められている。
【００３７】
このカップ部付き衣類１では、土台部３の上辺部３ａにおける前中心Ａ側の縁部１３ａ及び脇側の縁部１３ｂの双方に張出部分１６ａ，１６ｂが設けられている。これにより、肌側布１２の面積が十分に抑えられ、下カップ部から着用者のバスト下部にかかる着圧をより確実に抑えられるので、着け心地の一層の向上が図られている。
【００３８】
また、カップ部付き衣類１では、肌側布１２の上縁部１２ａの脇側部分と表側布１１の脇縁部１１ｂとが、非伸縮性又は難伸縮性を有する連結部材１７によって連結されている。この連結部材１７により、下カップ部から着用者のバスト下部にかかる着圧を抑えつつ、バストの安定性を確保できる。非伸縮性又は難伸縮性を有する連結部材１７を用いることで、表側布１１に対する肌側布１２の非縫着状態（フリーな状態）が阻害されることもない。
【００３９】
また、カップ部付き衣類１では、肌側布１２の上縁部１２ａよりも表側布１１の上縁部１１ａが上方に張り出している。このため、ストラップ部５からの引っ張り力が作用したときに、表側布１１によって肌側布１２の全体が一層柔らかに包まれることとなる。これにより、肌側布１２がバストに喰い込むことを一層抑制でき、肌側布１２によるバストの造形性が更に効果的に維持される。
【００４０】
本発明は、上記実施形態に限られるものではない。例えば上記実施形態では、土台部３の上辺部３ａにおける前中心Ａ側の縁部１３ａ及び脇側の縁部１３ｂの双方に張出部分１６ａ，１６ｂが設けられているが、張出部分１６ａ，１６ｂのいずれか一方のみを設けてもよい。
【００４１】
例えば図６に示す例では、肌側布１２の下縁部１２ｂの脇側の縁部が、土台部３の上辺部３ａの脇側の縁部１３ｂまで延びており、土台部３の上辺部３ａにおける前中心Ａ側の縁部１３ａにのみ張出部分１６ａが設けられている。肌側布１２には、下縁部１２ｂの脇側の縁部と上縁部１２ａの脇側の縁部とをつなぐように、表側布１１の脇縁部１１ｂの下端側に対応する脇縁部１２ｃが形成されている。この脇縁部１２ｃは、表側布１１の脇縁部１１ｂの下端側に縫着されている。このような形態においても、下カップ部から着用者のバスト下部にかかる着圧を抑えられるので、着け心地の一層の向上が図られる。また、肌側布１２の脇縁部１２ｃを表側布１１の脇縁部１１ｂの下端側に縫着することで、バストの安定性の向上が図られる。
【００４２】
また、上記実施形態では、表側布１１と肌側布１２とを連結する連結部材１７及びカップ部２における下縁部２ｃのワイヤー部６を設けた構成を例示したが、連結部材１７は必ずしも設ける必要はなく、ワイヤー部６を設けないノンワイヤー型のカップ部付き衣類としてもよい。肌側布１２の上縁部１２ａは、着用状態においてバストトップを覆うことができる程度に表側布１１の上縁部１１ａよりも下方に位置しているが、バストの造形機能の観点からは、肌側布１２がバストトップを覆わない形状となっていてもよい。
【００４３】
また、上記実施形態では、表側布１１と肌側布１２とが下縁部１１ｃと下縁部１２ｂとの縫着部分を除いて互いにフリーな状態となっているが、このフリーな状態を阻害しない範囲で、肌側布１２の上縁部１２ａを表側布１１に対して１点留めなどで固定してもよい。また、連結部材１７は、伸縮性を有する素材によって形成されていてもよい。
【００４４】
上記実施形態では、カップ部付き衣類としてブラジャーを例示したが、本発明を適用するカップ部付き衣類としては、ブラジャーの他に、ブラスリップ、ブラキャミソール、ボディスーツなどのファンデーション衣類、水着、レオタードなどが挙げられる。また、本発明の特徴は、フルカップブラジャー、３／４カップブラジャー、及び１／２カップブラジャーといった全てのタイプのブラジャーに適用可能である。カップ部の縫製は、１ダーツ接ぎ、２ダーツ接ぎ、２枚接ぎ、３枚接ぎ、ギャザーのみ、無縫製（成形カップ）など、種々の形態を採り得る。また、肌側布をカップ部に内蔵させたタイプのカップ部付き衣類としてもよい。
【符号の説明】
【００４５】
１…カップ部付き衣類、２…カップ部、３…土台部、３ａ…上辺部、４…バック部、５…ストラップ部、１１…表側布、１１ａ…上縁部、１１ｂ…脇縁部、１１ｃ…下縁部、１２…肌側布、１２ａ…上縁部、１２ｂ…下縁部、１３ａ…前中心側の縁部、１３ｂ…脇側の縁部、１６ａ，１６ｂ…張出部分、１７…連結部材、Ａ…前中心。
【図１】
0006446960.tif 000002
【図２】
0006446960.tif 000003
【図３】
0006446960.tif 000004
【図４】
0006446960.tif 000005
【図５】
0006446960.tif 000006
【図６】
0006446960.tif 000007
【図７】
0006446960.tif 000008
【図８】
0006446960.tif 000009